(57)【要約】 【課題】  簡単な機構と合理的手段によって、操作部材を周方向に回しても該操作部材が軸方向に移動しないこと並びに操作部材の引き抜き操作を簡単にすること。【解決手段】  扉の壁面或いは錠ケースに固定的に設けられた筒状のサムターン座と、このサムターン座に引き抜き可能に差し込まれる操作部材とを備えた錠前のサムターンに於いて、前記操作部材の摘み部のみを摘んで引き抜きすることができるように前記サムターン座に付勢バネと該付勢バネのバネ力により常時半径内方向に付勢された可動係合子とを組込み、一方、前記操作部材の嵌入部に前記可動係合子が圧接する周方向の溝を形成したことを特徴とする錠前のサムターン。【選択図】  図２
2006104803.tif 000002
【特許請求の範囲】
【請求項１】
扉の壁面或いは錠ケースに固定的に設けられた筒状のサムターン座と、このサムターン座に引き抜き可能に差し込まれる操作部材とを備えた錠前のサムターンに於いて、前記操作部材の摘み部のみを摘んで引き抜きすることができるように前記サムターン座に付勢バネと該付勢バネのバネ力により常時半径内方向に付勢された可動係合子とを組込み、一方、前記操作部材の嵌入部に前記可動係合子が圧接する周方向の溝を形成したことを特徴とする錠前のサムターン。
【請求項２】
請求項１に於いて、サムターン座に操作部材の嵌入部が入り込む空間部分を設定し、一方、サムターン座の先端部に環状案内板を固定し、該案内板とサムターン座の両方に形成された複数個の小案内部にそれぞれ案内されるように可動係合子が組み込まれていることを特徴とする錠前のサムターン。
【請求項３】
請求項１に於いて、サムターン座は、扉の内壁面に固定された肉厚の筒状体であり、該サムターン座の内部に内側シリンダー錠と共に筒状のコネクターが組み込まれ、かつ、該コネクターに連結されたサムターンコアと同軸上に外シリンダー錠が扉に配設されていることを特徴とする錠前のサムターン。
【請求項４】
扉の壁面或いは錠ケースに固定的に設けられた筒状のサムターン座と、このサムターン座に引き抜き可能に差し込まれる操作部材とを備えた錠前のサムターンに於いて、前記操作部材の摘み部のみを摘んで引き抜きすることができるようにサムターン座に可動係合子が圧接する周方向の溝を形成し、一方、前記操作部材の摘み部に連設する嵌入部に付勢バネと該付勢バネのバネ力により常時半径外方向に付勢された可動係合子とを組込んだことを特徴とする錠前のサムターン。
【発明の詳細な説明】
【技術分野】
【０００１】
本発明は、本発明は防犯型の錠前のサムターンに関する。
【背景技術】
【０００２】
特許文献１に記載の錠前のサムターンは、扉の内部に取り付けられたサムターン筒と、このサムターン筒に内装されたシリンダー錠と、このシリンダー錠の先端部をカバーする筒状サムターンカバーと、前記シリンダー錠を室内側から施・解錠することができるサムターン摘み兼用合鍵とから構成され、例えば施錠時において、前記合鍵をシリンダー錠から抜き取りたい時は、サムターン筒の先端部に内装されたばね部材のバネ力に抗してサムターンカバーに差し込まれた板状キーストッパーを指で押し上げると、該キーストッパーの係止機能を有する開口縁部が合鍵のスロット部分の係合突起から離れるので、就寝時、外出時などに摘み兼用合鍵を自由に引き抜くことができる。したがって、泥棒が、たとえば扉の一部のガラスを破壊しても、いわゆる「サムターン回し」をすることができないという利点がある。
【０００３】
しかしながら、上記錠前のサムターンは、構造的に複雑な形状の板状キーストッパーが必要であると共に、所望時にキーストッパーを指で押し上げながら、該キーストッパーの開口縁部とキーのステム部に形成した係合突起との干渉状態を解消させながら操作部材をそのまま引き抜かなければならないので、引き抜き操作が面倒であるという問題点があった。
【特許文献１】特開１１−９３４８２号公報
【発明の開示】
【発明が解決しようとする課題】
【０００４】
本発明の第１の目的は、簡単な機構と合理的手段によって、操作部材を周方向に回しても該操作部材が軸方向に移動しないこと並びに操作部材の引き抜き操作を簡単にすること。第２の目的は、付勢バネや可動係合子の組込みが容易であると共に、可動係合子を安定的に案内すること。第３の目的は、限られた扉の厚さに対応して内外のシリンダー錠を合理的に扉に取り付け、防犯性の向上を図ることである。
【課題を解決するための手段】
【０００５】
本発明の錠前のサムターンは、扉の壁面或いは錠ケースに固定的に設けられた筒状のサムターン座と、このサムターン座に引き抜き可能に差し込まれる操作部材とを備えた錠前のサムターンに於いて、前記操作部材１１の摘み部のみを摘んで引き抜きすることができるように前記サムターン座１５に付勢バネ２８と該付勢バネのバネ力により常時半径内方向に付勢された可動係合子２９とを組込み、一方、前記操作部材の嵌入部に前記可動係合子が圧接する周方向の溝３５を形成したことを特徴とする。
【０００６】
上記構成に於いて、サムターン座に操作部材の嵌入部が入り込む空間部分を設定し、一方、サムターン座の先端部に環状案内板を固定し、該案内板とサムターン座の両方に形成された複数個の小案内部にそれぞれ案内されるように可動係合子が組み込まれていることを特徴とする。また、サムターン座は、扉の内壁面に固定された肉厚の筒状体であり、該サムターン座の内部に内側シリンダー錠と共に筒状のコネクターが組み込まれ、かつ、該コネクターに連結されたサムターンコアと同軸上に外シリンダー錠が扉に配設されていることを特徴とする。
【０００７】
また、本発明の錠前のサムターンは、扉の壁面或いは錠ケースに固定的に設けられた筒状のサムターン座と、このサムターン座に引き抜き可能に差し込まれる操作部材とを備えた錠前のサムターンに於いて、前記操作部材１１Ｂの摘み部１１ａのみを摘んで引き抜きすることができるようにサムターン座１５Ｂに可動係合子２９が圧接する周方向の溝３５Ｂを形成し、一方、前記操作部材１１Ｂの摘み部１１ａに連設する嵌入部１１ｂに付勢バネ２８と該付勢バネのバネ力により常時半径外方向に付勢された可動係合子２９とを組込んだことを特徴とする。
【発明の効果】
【０００８】
（１）操作部材の嵌入部に可動係合子が圧接する周方向の溝を形成したので、操作部材を周方向に回しても該操作部材が軸方向に移動しない。また、可動係合子と操作部材の嵌入部の溝との自在な係脱により、操作部材の摘み部を摘んだままその余の指で何らの操作をしなくても、サムターン座から操作部材を引き抜くことができる。したがって、操作部材の引き抜き操作が極めて簡単である。
（２）請求項２に記載の発明は、案内板とサムターン座の両方に形成された複数個の小案内部に可動係合子がそれぞれ組み込まれているから、可動係合子を安定的に案内することができる。また、案内板をサムターン座の先端部に固定するから、付勢バネや可動係合子の組込みが容易である。
（３）請求項３に記載の発明は、限られた扉の厚さに対応して内外のシリンダー錠を合理的に扉に取り付け、防犯性の向上を図ることができる。
【発明を実施するための最良の形態】
【０００９】
以下、図１乃至図７に示す本発明を実施するための最良の形態により説明する。
【００１０】
（１）実施の環境  
図１で示すように、1は室外側２と室内側３を区分けする扉である。扉１は建具の一つであるから、例えば家屋の戸枠４に対して設けられている。戸枠４には受け金具５が固定的に設けられており、該受け金具５に扉１に設けられた錠前Ｘのフロント６から出没するデッドボルト７が係脱する。
【００１１】
さて、扉１の錠前Ｘには、錠ケース８のフロント６からデッドボルト７が出没するもの（本実施例）、サムターン摘み側の錠ケースの側壁からデッドボルトが出没するもの、室内側３に位置するサムターン摘みのサムターン軸（駆動芯材）と室外側２に位置するシリンダー錠の駆動軸（テールピースも含む）とが同軸に位置するものと、そうでないものなど色々な型式が存在している。
【００１２】
本発明は、錠前のサムターンに関するものであるから、錠前Ｘの取り付け態様、錠前Ｘの具体的構造、内外のシリンダー錠が同軸上に設けられているか否かは必ずしも限定要件ではないが、説明の便宜上、図１，図２で示すように、錠ケース８が扉１の自由端部に内装されているタイプに於いて、内外の操作部材（例えば同一の合鍵）１１により施・解錠可能な内外のシリンダー錠１２，１３を備えた錠前Ｘを例にして説明する。  
【００１３】
さて、外シリンダー錠１３は、居住者が室外側２から操作部材としての合鍵１１を操作すると、外筒体、内筒体、障害子、バネ部材等で構成された施・解錠機構が解錠又は施錠状態となる。したがって、この点、内シリンダー錠１２も同様であり、前記合鍵１１を後述のサムターン座１５に挿入して操作すると、該操作力に連動する筒状のコネクター１８及び駆動腕を有するダルマ２０をそれぞれ介してフロント６からデッドボルト７が出没する。
【００１４】
（２）錠前の構成
そこで、図２を参照にして錠前Ｘの構成を説明する。まず、１５は扉１の壁面或いは錠ケース８に固定的に設けられた筒状のサムターン座である。本実施例では、サムターン座１５は、扉１の内壁面１ａないし錠ケース８に図示しない固着具を介して固定されている。また本実施例では、サムターン座１５は、図２で示すように扉１の内壁面１ａに固定された肉厚の筒状体であり、該サムターン座の内部に内側シリンダー錠１２と共に筒状のコネクター１８が組み込まれ、かつ、該コネクター１８に連結されたサムターンコア１９と同軸上に外シリンダー錠１３が扉１に配設されている。
【００１５】
１６はサムターン座用サムターンカバーで、このサムターンカバー１６は、断面横向き台形状に形成され、その垂直壁１６ａには操作部材用の貫通孔１７が形成されている。またサムターンカバー１６の周胴部１６ｂの周端縁には、サムターン座１５の先端部寄りの部位に周設された突起状の係止部に係合する断面爪状の係合部が形成されている（細部的事項なので、符号は省略する。）。
【００１６】
次に、１２は内シリンダー錠で、サムターン座１５の中心部に横方向に内装されている。特に符号を付さないが、サムターン座１５は、操作部材１１の差込み方向に内シリンダー錠１２を内装することができるように肉厚に形成され、かつ、サムターンカバー１６の貫通孔１７に連通する貫通状態の嵌合孔を有している。内シリンダー錠１２は外シリンダー錠１３に比して長さ、大きさ等が小さ目に形成されている。
【００１７】
また、内シリンダー錠１２の後端面には、回動可能な筒状コネクター１８が設けられている。このコネクター１８は、操作部材１１としての合鍵を回転すると、最大１８０度まで回転可能である。したがって、操作部材１１によってコネクター１８及び該コネクター１８を貫通するサムターンコア（サムターン入力軸）１９が回転すると、サムターンコアに係合している錠ケース８内のダルマ２０が所定量回転する。ダルマ２０は、錠ケース８内に固定的に配設された左右一対の支持板２１に回動自在に支持されている。
【００１８】
次に、１３は扉１の外壁面１ｂ側に固定筒２２を介して設けられた外シリンダー錠である。外シリンダー錠１３の内筒は、前述したように操作部材としての合鍵１１の操作により施錠または解錠方向へ回転する。前記内筒が回転すると、駆動軸（テールピースも含む）２３が回転し、該駆動力によりダルマ２０が回転する。
【００１９】
したがって、本実施例の錠前Ｘは、内シリンダー錠１２または外シリンダー錠１３に差し込んだ操作部材１１の鍵操作により、サムターンコア（サムターン入力軸）１９又は駆動軸２３がそれぞれ回転し、これに連動してダルマ２０が回転すると、該ダルマ２０の半径外方向に延びる駆動腕を介してデットボルト７が受け金具５に対して出没する。
【００２０】
（３）主要部の構成
本発明の主要部の構成を、図３乃至図７を参照にして説明する。サムターン座１５は、前述したように肉厚の筒状体に形成されていると共に、その嵌合孔内に内シリンダー錠１２を備えている。
【００２１】
まず、２５は内シリンダー錠１２の内筒の前方に残存する（設定された）サムターン座１５の空間部分（凹所）で、この空間部分２５はサムターンカバー１６の垂直壁１６ａの貫通孔１７と連通している。この空間部分２５に操作部材１１の柱状嵌入部１１ｂが入り込む。
【００２２】
次に、２６，２６は該凹所２５に連通する半径外方向の収納部（収納溝）で、本実施例では、図５を基準にすると、上下に対向するように縦長状にそれぞれ形成されている。これらの縦長状収納溝２６，２６は、サムターン座１５の先端部に図示しない固着具を介して固定された環状案内板２７の存在により、付勢バネ２８と、該付勢バネ２８のバネ力により常時半径内方向に付勢された可動係合子２９とを収納する収納部と成っている。
【００２３】
しかして、前記案内板２７は、図５，図６で示すように中心部に形成されたサムターンカバー１６の貫通孔１７と略同径の中心孔３１と、該中心孔３１と同心円上の適宜部位にそれぞれ形成された複数個の小案内部（溝、切欠、孔など）３２，３２とを有する。前記小案内部３２，３２に対応する小溝状の小案内部３３は、サムターン座１５の縦長状収納溝２６，２６を形成する内壁面にも適宜形成されている。
【００２４】
一方、前記可動係合子２９は、前記案内板２７の小案内部３２及びサムターン座１５の小案内部３３の両方に案内される鍔部２９ｂを有するピン状に形成され、操作部材１１の外壁に圧接する先端部２９ａは半球面状に形成されている。ピン状可動係合子２９の他端部２９ｃには付勢バネ２８の一端部が巻装されている。
【００２５】
なお、可動係合子２９の半球面状先端部２９ａは、本発明の目的を達成することができる範囲内に於いて、任意に設計変更（例えばやや山形状に形成する）ことができる。
【００２６】
次に、図４に示した操作部材１１の一例を説明する。前述したように、この実施例の操作部材１１は、室内側３からサムターン座１５ないし内シリンダー錠１２に差し込まれ、サムターン入力軸１９を所定量回転するとこができると共に、室外側２からも外シリンダー錠１３に差し込まれ、その駆動軸２３を所定量回転することもできる。
【００２７】
そこで、操作部材１１は、手前側の前面が楕円形状或いはやや菱形形状の摘み部１１ａを有し、この摘み部１１ａの前面にはサムターン座１５の空間部分２５に入り込むことが可能な円柱状の嵌入部１１ｂが突出形成されている。そして、該嵌入部１１ｂからは内外のシリンダー錠１２，１３にそれぞれ差し込み可能なステム部１１ｃが延びている。
【００２８】
しかして、前記嵌入部１１ｂの外壁の差込み端部寄りの部位には、周方向に被係合部としての溝（半円弧状、円弧状など）３５が形成されている。本実施例の溝３５は、操作部材１１を安定的に回転操作することから、周溝を採用している。
【００２９】
（４）本発明の作用
図７を参照にして本発明の作用を説明する。操作部材１１を差し込む前は、可動係合子２９は付勢バネ２８のバネ力により環状案内板２７の中心孔３１から若干食み出ている。この時、その鍔部２９ｂは案内板２７及びサムターン座１５の小案内部３２，３３を形成する内壁面に受け止められている。
【００３０】
そこで、操作部材１１をサムターンカバー１６の貫通孔１７から差込み、その嵌入部１１ｂの先端面が途中で可動係合子２９の先端部２９ａに当たり、そのまま操作部材１１を内シリンダー錠１２に差し込むと、可動係合子２９は付勢バネ２８のバネ力に一瞬抗して後退するものの、付勢バネ２８のバネ力によって復帰し、操作部材の被係合部３５に係合状態に圧接する。そこで、その状態で操作部材１１を施錠方向又は解錠方向に回すことが可能となる。操作部材１１の回転中、可動係合子２９は操作部材の周溝３５内に常時係合している。
【００３１】
一方、操作部材１１をサムターン座１５ないし内シリンダー錠１２から向き取る時は、上記とは逆の作動態様となることから、錠前Ｘを施錠状態にした後、操作部材１１をサムターン座１５から抜き取りたい時は、単に操作部材１１をそのまま引き抜くだけで良い。
【実施例】
【００３２】
前欄の実施例を第１実施例として、この欄では、本発明の他の実施例について説明する。なお、第１実施例と同一の部分には、同一の符号又は同様の符号を付し、重複する説明を省略する。
【００３３】
図８及び図９に示す第２実施例の錠前Ｘ１のサムターンに於いて、第１実施例と主に異なる点は、操作部材１１Ａとサムターン座１５Ａである。例えば図４と図９、又は図３と図８とをそれぞれ比較すると明らかなように、第１実施例の操作部材１１は合鍵機能を有するのに対し、第２実施例の操作部材１１Ａは、単なる差込み形式の摘み部材である。つまり、第２実施例の操作部材１１Ａはステム部が存在しない。そこで、操作部材１１Ａは、摘み部１１ａと、この摘み部１１ａの前面から突出する円柱状の嵌入部１１ｂとから成り、前記嵌入部１１ｂの外壁には周溝３５が形成され、また、嵌入部１１ｂの端面から摘み部１１ａに向かって、例えば十字型状の嵌合孔３７が形成されている。
【００３４】
また、第１実施例のサムターン座１５は内シリンダー錠１２を内装するのに対し、第２実施例のサムターン座１５Ａは内シリンダー錠１２が存在しない。したがって、サムターンコア１９Ａの一端部１９ａは、例えば図９で示すように断面十字型状に形成された入力軸の嵌合端部である。そして、この嵌合端部１９ａ寄りの部位は、サムターン座１５Ａの内側の凹所内に設けられた軸受け３８に支持されている。一方、入力軸の他端部１９ｂはダルマ２０の嵌合孔に係合している。この実施例では、サムターン座１５Ａ及びサムターンカバー１６Ａの形状が異なるものの、本発明の主要部は同一である。
【００３５】
したがって、操作部材１１Ａの被係合部３５とサムターン座１５Ａ側に組み込まれた可動係合子２９との係脱関係を介して操作部材１１Ａをそのまま抜き取ることができる。サムターンコア１９Ａの一端部１９ａは、必ずしも断面十字型状である必要はない。「断面マイナス型形状」であっても良い。
【００３６】
図１０乃至図１２に示す第３実施例の錠前Ｘ２のサムターンに於いて、第１実施例と主に異なる点は、操作部材１１Ｂの摘み部１１ａのみを摘んで引き抜きすることができるようにサムターン座１５Ｂに可動係合子２９が圧接する周方向の溝３５Ｂを形成したこと、一方、前記操作部材１１Ｂの摘み部１１ａに連設する嵌入部１１ｂに付勢バネ２８と該付勢バネのバネ力により常時半径外方向に付勢された可動係合子２９とを組込み、第１実施例の逆の構成にしたことである。
【００３７】
したがって、操作部材１１Ｂ側に環状案内板２７Ｂが固定され、該環状案内板２７Ｂと操作部材１１Ｂの嵌入部１１ｂの先端部と該案内板２７Ｂとで形成された複数個の収納部（収納溝を含む）２６Ｂ，２６Ｂ内に付勢バネ２８と可動係合子２９がそれぞれ左右或いは上下に対向するように組み込まれている。このように構成を置換しても、本発明の第１実施例と同一の作用・効果がある。なお、図１２は、第３実施例の作用を示す説明図であるが、重複するのでその説明を割愛する。
【図面の簡単な説明】
【００３８】
図１乃至図７は本発明の第１実施例を示す各説明図。図８及び図９は本発明の第２実施例を示す各説明図。図１０乃至図１２は本発明の第３実施例を示す各説明図。
【図１】平面からの環境を示す概略説明図。
【図２】各部材の取り付け位置を示す概略説明図（操作部材を差し込んだ時）。
【図３】各部材の取り付け位置を示す概略説明図（操作部材を差し込む前又は引き抜いた時）。
【図４】操作部材の斜視図（付勢バネ，可動係合子も含む）。
【図５】サムターン座側の概略断面図。
【図６】サムターン座側の主要部材（付勢バネ，可動係合子も含む）を示す概略説明図。
【図７】操作部材とサムターン座側の主要部材との関係を示す概略説明図。
【図８】第２実施例を示す概略説明図（操作部材を差し込んだ時並びに引き抜いた時）。
【図９】主要部材（付勢バネ，可動係合子も含む）の位置関係を示す斜視図。
【図１０】第２実施例を示す概略説明図（操作部材を差し込んだ時）。
【図１１】操作部材の構成を示す概略説明図。
【図１２】操作部材とサムターン座側の主要部材との関係を示す概略説明図。
【符号の説明】
【００３９】
Ｘ，Ｘ１，Ｘ２…錠前、１…扉、２…室外側、３…室内側、８…錠ケース、１１，１１Ａ，１１Ｂ…操作部材、１１ａ…摘み部、１１ｂ…嵌入部、３５，３５Ｂ…被係合部（溝）、３７…嵌合孔、１２…内シリンダー錠、１３…外シリンダー錠、１５，１５Ａ，１５Ｂ…サムターン座、１６，１６Ａ…サムターンカバー、１７…貫通孔、１８…コネクター、１９…サムターン入力軸、２０…ダルマ、２１…支持板、２２…固定筒、２３…駆動軸、２５…空間部分、２６，２６Ｂ…収納部（収納溝）、２７，２７Ｂ…環状案内板、２８…付勢バネ、２９…可動係合子、２９ａ…先端部、２９ｂ…鍔部。
【図１】
2006104803.tif 000003
【図２】
2006104803.tif 000004
【図３】
2006104803.tif 000005
【図４】
2006104803.tif 000006
【図５】
2006104803.tif 000007
【図６】
2006104803.tif 000008
【図７】
2006104803.tif 000009
【図８】
2006104803.tif 000010
【図９】
2006104803.tif 000011
【図１０】
2006104803.tif 000012
【図１１】
2006104803.tif 000013
【図１２】
2006104803.tif 000014